(57)【要約】      （修正有）【課題】宝石等の貴重な装飾品を安全に収納し、かつ収納された状態で鑑賞することを可能にするベッドサイドテーブルを提供する。【解決手段】ベッドサイドテーブル１０１は、全体に箱型であり、テーブルとして機能するように天面が平坦であるだけでなく、複数段の引出１、３、５を有しており、小物等を出し入れ可能に収納することができるように構成されている。引出１，３，５は、前方に引き出し可能なように本体部７に収容されている。本体部７の天面には、例えばガラス板などの透明板９が張られている。このため、ベッドサイドテーブル１０１の上方ないし斜め上方から、最上段の引出１の内側に収納される宝石、高級腕時計等の貴重な装飾品１７を、透かして見ることができる。最上段の引出１の内側には、表面が滑らかな合成樹脂板が貼られているので、貴重な装飾品１７に相応しい高級感が演出される。【選択図】図１
0003207768.tif 000002
【実用新案登録請求の範囲】
【請求項１】
本体部と、
前記本体部に収容され、前記本体部から引出し可能であり、複数段に配置された複数の引出と、を備え、
前記本体部の天面には、透明板が張られており、それにより、最上段の前記引出の内部が、外部から透視可能なベッドサイドテーブル。
【請求項２】
前記最上段の引出の内側に貼着された、表面が滑らかな合成樹脂板を、さらに備える、請求項１に記載のベッドサイドテーブル。
【請求項３】
前記複数段は３段である、請求項１又は２に記載のベッドサイドテーブル。
【考案の詳細な説明】
【技術分野】
【０００１】
本考案は、宝石等の装飾品を収納しつつ、外部から鑑賞することをも可能にするベッドサイドテーブルに関する。
【背景技術】
【０００２】
宝石、貴金属、高級腕時計等の装飾品は、高価で貴重なものであるため、保有していても、式祭等の特別な折に着用するほかは、紛失したり傷や汚れが付いたりしないように、ケースに入れ、屋内のタンス等の収納家具の引出（ひきだし）の中に、大事に保管されることが多いものである。しかし、このような貴重品は、その高貴な装飾性のために、可能であれば、屋内の見える所に置いて、鑑賞の対象として、あるいは室内装飾として、日常的に利用されることが望ましい。高価な装飾品を日常生活に、より有意義に生かし、生活をより豊かにすることにもつながる。特に、起床及び就寝の際に、これらの高貴な装飾品をベッドサイドにおいて鑑賞することができるならば、幸福感に包まれつつ安眠でき、また一日の始まりを幸福な気分で迎えることができる。
【０００３】
しかし、貴重な装飾品について、紛失や損傷等を防ぎつつ、このような利用を可能にする家具等の手段は、従来見られなかった。なお、特許文献１には、正面をガラス張りにして、内部の棚の上に置かれた工芸品を、正面から鑑賞可能にしたテレビ台が開示されている。
【先行技術文献】
【特許文献】
【０００４】
【特許文献１】実登３１４７９１８号公報
【考案の概要】
【考案が解決しようとする課題】
【０００５】
本考案は上記の問題点に鑑みてなされたもので、宝石等の貴重な装飾品を安全に収納し、かつ収納された状態で鑑賞することを可能にするベッドサイドテーブルを提供することを目的とする。
【課題を解決するための手段】
【０００６】
上記課題を解決し上記目的を達成するために、本考案のうち第１の態様によるものは、ベッドサイドテーブルであって、本体部と、前記本体部に収容され、前記本体部から引出し可能であり、複数段に配置された複数の引出と、を備えている。前記本体部の天面には、透明板が張られており、それにより、最上段の前記引出の内部が、外部から透視可能である。
【０００７】
この構成によれば、宝石、貴金属、高級時計等の貴重な装飾品を、最上段の引出に収納することにより、紛失や損傷等から保護するように安全に収納することができる。同時に、本体部の天面に張られた透明板を通して、ベッドサイドテーブルの上方ないし斜め上方から、収納されている装飾品を鑑賞することが可能である。就寝前及び起床時に、高貴な装飾品を鑑賞することができ、これら装飾品に見守られているという幸福感に包まれつつ、眠りに就くことができ、かつ、幸福な気分で一日の始まりを迎えることができる。また、最上段以外の引出には、装飾品のケースを収納するのに利用することができる。
【０００８】
本考案のうち第２の態様によるものは、第１の態様によるベッドサイドテーブルであって、前記最上段の引出の内側に貼着された、表面が滑らかな合成樹脂板を、さらに備えている。
【０００９】
この構成によれば、最上段の引出の内側の美観が向上し、貴重品を鑑賞するのに相応しい高級感が演出される。
【００１０】
本考案のうち第３の態様によるものは、第１又は第２の態様によるベッドサイドテーブルであって、前記複数段は３段である。
【００１１】
この構成によれば、最上段の引出に装飾品を、次の段の引出に装飾品のケースを収容することができ、さらにベッドサイドにおいて必要となることの多い読みかけの本など、他の小物を最下段の引出に収容することができる。
【考案の効果】
【００１２】
以上のように本考案によれば、宝石等の貴重な装飾品を安全に収納し、かつ収納された状態で鑑賞することを可能にするベッドサイドテーブルが実現する。
【図面の簡単な説明】
【００１３】
【図１】本考案の一実施の形態によるベッドサイドテーブルの外観斜視図である。
【図２】図１のベッドサイドテーブルの縦断面図である。
【図３】図１のベッドサイドテーブルについて、最上段の引出を引き出したときの外観を表す斜視図である。
【考案を実施するための形態】
【００１４】
図１は、本考案の一実施の形態によるベッドサイドテーブルの外観斜視図である。また図２は、このベッドサイドテーブルの縦断面図である。なお、図1及び後述の図３の斜視図は、いずれも遠近法を加味して描かれている。このベッドサイドテーブル１０１は、ベッド（図示略）のそばの床１０の上に置いて使用に供される。ベッドサイドテーブル１０１は、全体に箱型であり、テーブルとして機能するように天面が平坦であるだけでなく、複数段の引出１、３、５を有しており、小物等を収納することができるように構成されている。引出１，３，５は、前方に引き出し可能なように本体部７に収容されている。本体部７の天面には、例えばガラス板などの透明板９が張られている。このため、ベッドサイドテーブル１０１の上方ないし斜め上方から、最上段の引出１の内側を透かして見ることができる。ベッドサイドテーブル１０１の天面の床１０からの高さは、例えば８０ｃｍ程度以下であり、天面の透明板９を通して引出１の内側を、楽に見ることができる。
【００１５】
透明板９は、本体部７の天面に形成された開口部１１を覆うように、この開口部１１の周縁部にはめ込まれている。図２の断面図に例示するように、透明板９は、開口部１１の周縁部に形成された段差部１３にはめ込まれ、さらに接着されている。望ましくは、図２に例示するように、本体部７の天面は、テーブルとしての機能性を高めるために、透明板９の上面と、透明板９の周辺の上面とが、段差なく同一平面をなしており（いわゆる面一（つらいち）となっており）、天面全体にわたって平坦となっている。
【００１６】
図２に示すように、最上段の引出１の内側には、合成樹脂板１５が貼り付けられている。貼り付けには、例えば接着剤が用いられる。合成樹脂板１５は、表面が滑らかであり、そのため、透明板９を透かして見ることのできる最上段の引出１の内側に、美観を添え、高級感を演出する。合成樹脂板１５は、例えば、硬質のポリエステル板であり、例えば、不透明かつ単色である。
【００１７】
図３は、ベッドサイドテーブル１０１について、最上段の引出を引き出したときの外観を表す斜視図である。図１及び図３に例示するように、最上段の引出１は、宝石、貴金属、高級時計等の貴重な装飾品１７を収納するのに相応しい。宝石等の装飾品１７を、引出１に収納することにより、紛失や損傷等から保護することができる。それと同時に、透明板９を通して、ベッドサイドテーブル１０１の上方ないし斜め上方から、収納されている装飾品１７を鑑賞することができる。特に、合成樹脂板１５により、高貴な装飾品１７に相応しい高級感が、引出１の内側に演出される。ベッドサイドテーブル１０１の使用者は、就寝前及び起床時に、高貴な装飾品１７を鑑賞することにより、幸福感とともに眠りに就くことができ、また、幸福な気分で一日の始まりを迎えることができる。
【００１８】
上から２段目の引出２は、例えば、装飾品１７を購入したときに、付属するものとして購入先から提供されるケースを収納するのに、使用することができる。このようなケースは、通常において、それ自体高級感があり、装飾品１７を旅行等に携行する際には、必要ともなるものであり、保存する価値のあるものである。ケースを装飾品１７から離れた所に収納すると、必要なときに取り出し難いことがあるが、ベッドサイドテーブル１０１の引出２を利用することにより、そのような不都合をも解消することができる。最下段の引出３は、ベッドサイドにおいて必要となること多い読みかけの本などを、収納するのに便宜である。
【００１９】
以上のように、ベッドサイドテーブル１０１は、身から外した貴重な装飾品１７を、安全に収納しつつ鑑賞に利用することを可能にし、その利用価値を高め、生活を豊かにするものである。
【符号の説明】
【００２０】
１、３、５  引出、  ７  本体部、  ９  透明板、  １０  床、  １１  開口部、  １３  段差部、  １５  合成樹脂板、  １７  装飾品、  ベッドサイドテーブル１０１、
【図１】
0003207768.tif 000003
【図３】
0003207768.tif 000004
【図２】
0003207768.tif 000005